(57)【要約】【課題】屈折率は物質の比重によって異なる。屈折率は光子の波長によって異なる。これはどうしてか。【解決手段】比重から軌道を求める式１／比重＝（軌道×１０８）３から軌道を求める。そうすると、軌道×屈折率＝一定値（Ｐとする）×１０−８である。一定値は物質によって異なる。この式から光子の軌道（波長の１／２）から光子の屈折率が算出できる。光子の屈折率が倍増した屈折率が物質の屈折率である。物質の屈折率は分子の軌道に反比例する。分子の軌道が小さい程屈折率は大きい。これは光子が分子の軌道を回り込むからである。屈折とは光子が分子の軌道を回り込むことである。【選択図】図２
2004072996.tif 000002
【特許請求の範囲】
【請求項１】
物質の比重から軌道を求める。１／比重＝（軌道×１０８）３の式から軌道を求める。この軌道は物質の分子の軌道である。
【請求項２】
軌道×屈折率はおよそ一定の値である。固体は（１〜２．３４）×１０−８であり、液体は（１．４〜１．６）×１０−８であり、気体は（６．８〜２２．３）×１０−８である。それで、軌道×屈折率＝Ｐ×１０−８である。Ｐは物質によって異なる。
軌道＝１÷屈折率×１０−８×Ｐ　であり、屈折率＝１÷軌道×１０−８×Ｐである。
【請求項３】
光子の屈折率は、屈折率＝１÷（波長÷２）×１０−８×Ｐである。
【請求項４】
物質の屈折率とは、光子が物質の中を通過する時、光子の屈折率が倍増する事である。物質の屈折率＝光子の屈折率×光子の屈折率が倍増した倍数　である。例えば、ナトリュウムＤ線がダイヤモンドを通過する場合、ナトリュウムＤ線（５８９．３×１０−９ｍ）の光子の屈折率は、１÷（５８９．３×１０−９÷２）×１０−８×Ｐ＝０．０３３９３８Ｐである。この光子がダイヤモンドを通過するとき、ダイヤモンドの屈折率＝光子の屈折率×光子の屈折率が倍増した倍数　であり、光子の屈折率が倍増した倍数は、２．４１９５÷０．０３３９３８Ｐ≒７１．２９１８×１／Ｐ（倍）　Ｐ＝１とすると、約７１．３倍である。
【請求項５】
屈折率＝１÷軌道×１０−８×Ｐの式によって次のことが理解できる。Ｐは物質によって異なる。個体は１〜２．３で、液体は１．３〜１．６で、気体は６．８〜２２．３である。もし、光子のＰが２９．４６５であるならば、ナトリュウムＤ線の屈折率は、１÷（５８９．３×１０−９÷２）×１０−８×２９．４６５＝１であり、直進です。そうしますと、ダイヤモンドの光子の屈折率が倍増した倍数は２．４１９５倍です。もし、光子のＰが２９．４６５であるならば、３６５×１０−９ｍの波長の光子の屈折率は、１÷（３６５×１０−９÷２）×１０−８×２９．４６５＝１．６１４５０５です。光子のＰが一定ならば、光子の波長によって屈折率が異なる事がこの式によって証明できる。
【請求項６】
屈折率には２種類有る。１つは物質の屈折率であり、１つは光子の屈折率である。物質の屈折率は光子が物質を通過するとき、光子の屈折率が倍増してできる光子の屈折率である。光子の屈折率とは光子自身の屈折率である。光子は波長により屈折率が異なる。
屈折率＝１÷軌道×１０−８×Ｐの式によって次のことが理解できる。物質の屈折率は物質の分子の軌道の大きさに反比例する。軌道が小さいほど、比重が大きいほど、屈折率は大きい。光子の屈折率は光子の波長の大きさに反比例する。波長が小さいほど屈折率は大きい。
【請求項７】
屈折率＝１÷軌道×１０−８×Ｐであるから、屈折率が１である光子の軌道は、軌道＝Ｐ×１０−８（ｍ）である。波長＝２Ｐ×１０−８ｍである。実験によって屈折率が１の光子の波長が解ったらＰの値が判る。
【請求項８】
光子のＰの値はどれくらいか。
光学ガラスの分子軌道からＰの値を推察できる。Ｋ３の分子軌道は６．５８７×Ｐ×１０−９ｍ（波長が５８７．６×１０−９ｍの場合）です。Ｋ３の比重を３とすると、Ｋ３の分子軌道は６．７×１０−９ｍです。それで、６．６Ｐ＝６．７であり、Ｐはおよそ１です。
【請求項９】
光子の屈折率は物質を通過すると倍増する。その原理は、光子は原子核の陽子のラブと中性子のラブの公転や、原子の電子のラブの公転を通り抜けられないからです。そこは余りにも高エネルギーであるからです。光子は自分のエネルギーと同じか、それより低エネルギーの場を通過します。高エネルギーの場では排斥されるからです。それで、光子は高エネルギーの場を回り込んで進みます。この回り込む現象が屈折です。屈折とは光子が高エネルギーの場をさけて、回り込んで進む現象です。
【請求項１０】
光子の軌道（波長）は分子の軌道より大きい。例えば、ダイヤモンドの場合、分子の軌道は６．５７７×１０−９ｍであり、ナトリュウムＤ線の軌道は１／２×５８９．３×１０−９ｍ＝２９４．６５×１０−９ｍである。分子の軌道エネルギーは光子の軌道エネルギーの２９４．６５÷６．５７７＝４４．８（倍）である。それで、光子は分子軌道の中に入り込めない。そのため、まっすぐ進めず、回り込んで、低エネルギーの場を進む。例えば、水素の場合、分子の軌道は２２３．４×１０−９ｍであり、光子の軌道にちかい。分子の軌道エネルギーは光子の軌道エネルギーの２９４．６５÷２２３．４＝１．３２（倍）である。それで、光子自分のエネルギーの場をまっすぐ進める。
【請求項１１】
光子の波長と分子の軌道と屈折率との関係は、水素のように、光子の軌道（１／２×波長）と分子の軌道の値が近いほど屈折率は小さい。光子の軌道（１／２×波長）は分子の軌道より大きい場合、分子の軌道が大きい程屈折率は小さい。
【請求項１２】
光子が屈折することは回り込むことです。光子は回り込むので距離は長くなり、進む時間は長くなる。屈折すると光子の速度は遅くなると考えられているが、真実は光子の走る距離が長くなるからである。
【請求項１３】
光子が物質の中を通過する時、光子の屈折率に影響を与えるのは何か。光子は原子、分子にあうたびに回り込むので、原子、分子の多い物質程回り込む回数は多い。比重の大きなもの程、原子、分子の数が多いので、たくさん回り込む。光子がどれくらい回り込むかについては、物質の分子の軌道が小さい程たくさん回り込む。光子がどれ位回り込むかについては、光子の波長が大きい程たくさん回りこむ。これは、光子の波長が大きい程、光子の屈折率が倍増した倍数が大きい事によって証明できる。
【請求項１４】
光子の軌道の屈折率を図に示す。
【請求項１５】
本発明者は２００３年２月２８日に提出した、「光子、及び光子の軌道の比重」の
【請求項５】
で、光子が移動する時、電場と磁場が交互に伝播する理由を存在する時空がずれるためであると説いたが、これは誤りである。電界はラブの公転によってでき、磁界はラブ周りを回転する光子によってできる。それで、電解と磁界は垂直にできる。
【発明の詳細な説明】
【０００１】
【発明の属する技術分野】
本発明は光子と屈折率に関する。
【０００２】
【従来の技術】
従来、光子は屈折する。
【０００３】
【発明が解決しようとしている課題】
１　物質の比重から軌道を求める。
２　軌道と屈折率の関係を求める。
３　光子の屈折率を求める。
４　物質の屈折率と光子の屈折率の関係を求める。
５　屈折率＝１÷軌道×１０−８×Ｐは何を意味するか。
光子は波長によって屈折率が異なる事の証明。
６　屈折率＝１÷軌道×１０−８×Ｐは何を意味するか。
物質の分子の軌道と屈折率。光子の波長の大きさと屈折率。
７　屈折率＝１÷軌道×１０−８×Ｐは何を意味するか。
屈折率１である光子の波長の長さはどれ位か。
８　光子のＰの値はどれくらいか。
光学ガラスの分子軌道から求める。
９　光子が物質の中を通過する時屈折する原理。
光子が屈折する現象はどういうことか。
１０　光子が回り込む現象はどのようであるか。
分子の軌道と光子の軌道の関係。
１１　光子の波長と分子の軌道と屈折率の関係はどのようであるか。
１２　屈折すると速度が遅くなる事の本当の理由はなにか。
１３　光子の屈折率は何によって影響を受けているのか。
１４　光子の軌道の屈折率はどのようであるか。
１５　電解と磁界が交互にでき、垂直にできるのはどうしてか。
【０００４】
【課題を解決するための手段】
屈折率は比重によって異なる。本発明者は２００３年２月２８日提出した「光子及び光子の軌道の比重」で比重と軌道の関係を理解できた。それで、物質の比重から物質の軌道を求める。そして、軌道×屈折率が一定の値になることから、軌道から屈折率を求める事ができる。それで、光子の屈折率を知る。この光子の屈折率が物質を通過することによって増加する。物質の屈折率とは光子の屈折率が倍増した値である。光学ガラスの屈折率から、倍増した倍数を求め、波長と倍数の関係を知る。光学ガラスの分子の軌道を求める。
【０００５】
【発明の実施態様】
１　物質の比重から軌道を求める。
本発明者が２００３年２月２８日提出した「光子及び光子の軌道の比重」より、軌道をａ×１０Ａｍであるとすると、比重は、　比重＝１÷（ａ×１０Ａ＋８）３です。
１／比重＝（軌道×１０８）３この式から軌道を求める。
例えば、ゲルマニュウムの比重は５．３２３ですから、
１／５．３２３＝０．１８７８６３９＝（０．５７２７）３　軌道×１０８＝０．５７２７　軌道＝５．７２７×１０−９
ゲルマニュウムの軌道は５．７２７×１０−９ｍです。
例えば、ヘリウムの密度は０．１７８５ですから、
１／０．１７８５＝５．６０２＝（１．７７６）３　ａ１０Ａ＋８＝１．７７６
ａ＝１．７７６　Ａ＝−８　１．７７６×１０−８ｍ
気体密度は１，０００分の１が単位ですから、軌道の大きさを１０倍にする。
よって、ヘリュウムの軌道は１．７７６×１０−８ｍ×１０＝１７７．６×１０−９ｍです。
物質の比重から軌道を求め記す。軌道は分子の軌道である。
２　軌道と屈折率の関係を求める。
軌道×屈折率＝一定値×１０−８である。
例えば、ゲルマニュウムの屈折率は４．０９２で、軌道は５．７２７×１０−９ｍです。
屈折率×軌道＝４．０９２×５．７２７×１０−９＝２．３４３×１０−８
例えば、エチルアルコールの屈折率は１．３６１８で、軌道は１０．８２２×１０−９ｍです。
屈折率×軌道＝１．３６１８×１０．８２２×１０−９＝１．４７２×１０−８
例えば、ヘリュウムの屈折率は１．００００３５で、軌道は１７７．６×１０−９ｍです。
屈折率×軌道＝１．００００３５×１７７．６×１０−９＝１７．７６２×１０−８
各物質の屈折率×軌道の値を求め記す。
固体の屈折率×軌道は（１〜２．３）×１０−８
液体の屈折率×軌道は（１．４〜１．６）×１０−８
気体の屈折率×軌道は（６．８〜２２．３）×１０−８です。
それで、屈折率×軌道＝Ｐ×１０−８です。Ｐは物質により異なる。
軌道＝１÷屈折率×Ｐ×１０−８、屈折率＝１÷軌道×Ｐ×１０−８である。
３　光子の屈折率を求める。
光子の屈折率＝１÷（波長÷２）×１０−８×Ｐ
例えば、ナトリュウムＤ線（５８９．３×１０−９ｍ）の屈折率は、
屈折率＝１÷（５８９．３×１０−９÷２）×１０−８×Ｐ＝０．０３３９３８Ｐ　です。
例えば、３６５×１０−９ｍの波長の屈折率は、
屈折率＝１÷（３６５×１０−９÷２）×１０−８×Ｐ＝０．０５４８Ｐ　です。
それで、４３５．８×１０−９ｍの波長の屈折率は０．０４５９Ｐです。
５４６．１×１０−９ｍの波長の屈折率は０．０３６６Ｐです。
６５６．３×１０−９ｍの波長の屈折率は０．０３０５Ｐです。
４　物質の屈折率と光子の屈折率との関係を求める。
物質の屈折率とは、光子が物質の中を通過する時、光子の屈折率が倍増する事である。
物質の屈折率＝光子の屈折率×光子の屈折率の倍増　である。
光子の屈折率の倍増をＫ倍とする。Ｋ＝物質の屈折率÷光子の屈折率　である。
例えば、ゲルマニュウムの場合。
ナトリュウムＤ線の屈折率は０．０３３９３８Ｐである。ゲルマニュウムの屈折率は４．０９２である。Ｋ＝４．０９２÷０．０３３９３８Ｐ＝１２０．５７２８×１／Ｐ。この光子がゲルマニュウムを通過すると、光子の屈折率は約１２０．５７×１／Ｐ倍に倍増する。そして、光子の屈折率は４．０９２となる。
例えば、ダイヤモンドの場合。
ダイヤモンドの屈折率は２．４１９５である。Ｋ＝２．４１９５÷０．０３３９３８Ｐ＝７１．２９×１／Ｐ。
この光子がダイヤモンドを通過すると、光子の屈折率は７１．２９×１／Ｐ倍に増大し、２．４１９５となる。
光学ガラスの場合。
５４６．１×１０−９ｍの波長の光子の屈折率は０．０３６６Ｐである。ＦＫ１の屈折率は１．４７２４である。Ｋ＝１．４７２４÷０．０３６６Ｐ＝４０．２２９５×１／Ｐ。
この光子がＦＫ１を通過すると、光子の屈折率は４０．２２９５×１／Ｐ倍に増大し、１．４７２４となる。
Ｋの値を記す。
『固体』
2004072996.tif 000003
『液体』
2004072996.tif 000004
『気体』
2004072996.tif 000005
2004072996.tif 000006
『光学ガラス』
2004072996.tif 000007
光学ガラスの分子の軌道を求める式は、分子の軌道＝１÷屈折率×１０−８×Ｐで求めた。屈折率は５８７．６×１０−９ｍの波長の屈折率で計算した。例えば、Ｆ１の５８９．６×１０−９ｍの波長の屈折率は１．４７０７であるから、分子の軌道＝１÷１．４７０７×１０−８×Ｐ＝６．７９９４８３×Ｐ×１０−９（ｍ）である。
Ｋ＝屈折率÷光子の屈折率　である。
５　屈折率＝１÷軌道×１０−８×Ｐは何を意味するか。
光子は波長によって屈折率が異なる事の証明。
Ｐの値は物質により異なる。個体は１〜２．３で、液体は１．４〜１．６で、気体は６．８〜２２．３である。もし、光子のＰが２９．４６５であるならば、ナトリウムＤ線の屈折率は１÷（５８９．３×１０−９÷２）×１０−８×２９．４６５＝１で直進です。そうしますとダイヤモンドのＫは２．４１９５倍です。もし、光子のＰが２９．４６５であるならば、３６５×１０−９ｍの波長の光子の屈折率は１÷（３６５×１０−９÷２）×１０−８×２９．４６５＝１．６１４５０５です。
Ｐが一定ならば、光子の波長によって屈折率は異なります。これで、光子は波長によって屈折率が異なる事が証明できます。
６　屈折率＝１÷軌道×１０−８×Ｐは何を意味するか。
物質の分子の軌道の大きさと屈折率。光子の波長と屈折率。
屈折率には２種類有る。１つは物質の屈折率である。これは光子が物質を通過するとき、光子の屈折率が倍増してできる光子の屈折率である。２つは光子の屈折率である。これは光子自身の屈折率である。光子は波長によって屈折率が異なる。
Ａ　物質の屈折率は物質の分子の軌道の大きさに反比例する。
分子の軌道が小さいほど、比重が大きいほど、屈折率は大きい。
Ｂ　光子の屈折率は光子の波長（軌道×２）に反比例する。
波長が小さいほど屈折率は大きい。
７　屈折率＝１÷軌道×１０−８×Ｐは何を意味するか。
屈折率が１である光子の軌道はどれ位か。
屈折率＝１＝１÷軌道×１０−８×Ｐ　　軌道＝Ｐ×１０−８
軌道がＰ×１０−８ｍである光子の屈折率は１である。２Ｐ×１０−８ｍの波長の光子の屈折率は１である。実験によって屈折率が１である光子の波長が解ったらＰの値が判る。
８　光子のＰの値はどれくらいか。
科学ガラスの分子の軌道からＰの値を推察する。
Ｋ３の波長が５８７．６×１０−９ｍの屈折率は１．５１８２であるから、Ｋ３の分子の軌道は、１÷１．５１８２×１０−８×Ｐ＝６．５８６７４７×Ｐ×１０−９（ｍ）です。クラウンの比重は２．２〜３．６です。Ｋ３の比重を３であるとすると、この分子の軌道は６．７×１０−９ｍです。
そうしますと、６．６Ｐ＝６．７であり、Ｐはおよそ１です。
９　光子が物質の中を通過するとき屈折するのはどうしてか。
屈折とは何か。屈折とはまっすぐ通過できないことである。どうしてまっすぐ進めないか。そこにまっすぐ進むことを阻止するものが在るからである。どのような物が光子の進行を阻止するのか。それは光子より強エネルギーのものである。光子より強エネルギーのものとは何か。それは公転するラブである。それはラブの周囲を回転する光子である。それらの光子は進行する光子より高エネルギーである。高ネルギーの光子は低エネルギーの光子を排斥する。進行する光子は排斥された光子である。それで進行する（走る）光子は高エネルギーの光子の中には入っていけない。それで光子は低エネルギーの場に回りこんで進む。この回り込む現象が屈折である。原子の周囲を回転する電子の中には電子のラブが公転している。それで、光子はその中には入り込めない。それで光子はそこを回りこんで
進む。【図１】。光子は原子にあうたびに原子を回り込んで低エネルギーの場を進む。
これが光子は屈折する原理である。
１０　光子が回り込む現象はどのようであるか。
分子の軌道と光子の軌道の関係。
走る光子は分子軌道の光子より軌道が大きい。そしてエネルギーは小さい。それで、走る光子は分子軌道の中に入り込めない。排斥されるからである。それでは分子軌道と光子の軌道を比較する。
ダイヤモンドの場合。
ダイヤモンドの分子軌道は６．５７７×１０−９ｍである。ナトリュウムＤ線の軌道は１／２×５８９．３×１０−９ｍ＝２９４．６５×１０−９ｍである。【図２】。ダイヤモンドの軌道エネルギーは光子の軌道エネルギー（＝波長エネルギー）の２９４．６５÷６．５７７＝４４．８（倍）である。それで、光子は分子軌道の中に入れず（中に進めず）、回り込んで低エネルギーの場を進む。
水素の場合。
水素の分子軌道は２２３．４×１０−９ｍである。水素の軌道エネルギーは光子の軌道（波長）エネルギーの２９４．６５÷２２３．４＝１．３１８９（倍）である。それで、光子は自分の軌道と近いので、回り込む事も少なく、まっすぐ進める。【図３】。
１１　光子の波長と分子の軌道と屈折率に関係はどのようであるか。
水素のように、光子の軌道（１／２×波長）と分子の軌道の値が近いほど屈折率は小さい。
光子の軌道（１／２×波長）は分子の軌道よりはるかに大きいので、分子の軌道が大きいほど屈折率は小さい。
１２　屈折すると速度が遅くなる本当の理由は何か。
光子は回り込んで進むので、進む（走る）距離は長くなるので、時間は長くかかる。
光子の速度は一定であるが、距離が長くなるので、時間が長くかかる。
１３　光子の屈折率は何によって影響を受けているのか。
光子は原子や分子にあうたび回り込んで進む。分子の数が多いものの中を通過するとき、回り込む回数が増える。それで、屈折率は大きい。
比重の大きなものほど分子の数が多いので、屈折率は大きい。
光子はどれくらい回り込むかについては、物質の分子の軌道が小さいほどたくさ
ん回り込む。【図４】。
光子がどれくらい回り込むかについては、光子の波長（軌道）が大きいほどたく
さん回り込む。【図５】。これは光子の波長（軌道）が大きいほどＫが大きい事によって証明できる。
１４　光子の軌道の屈折率を図に示す。【図６】
１５　電磁波の伝播が電解と磁界が交互にでき、垂直にできるのはどうしてか。本発明者は２００３年２月２８日に提出した「光子及び光子の軌道の比重」の【請求項５】に於いて、電場と磁場が交互に伝播する理由は時空の差によると説明したがこれは誤りである。電界はラブの公転によってでき、磁界はラブの周りを光子が回転することによってできる。それで、電界と磁界は交互に現れ、かつ垂
直に現れる。【図７】。
【０００６】
【発明の効果】
物質の比重から分子の軌道を算出できた。光子は分子の軌道を回り込んで進む。光子のエネルギーは分子の軌道エネルギーより小さいので中に進めないからである。屈折率×軌道＝一定値×１０−８である。一定値＝Ｐとする。屈折率＝１÷軌道×Ｐ×１０−８、軌道＝１÷屈折率×Ｐ×１０−８の式から次のことが理解できた。
１光子の屈折率を求めることができた。
２物質の屈折率とは光子が物質の中を通過するとき、光子の屈折率が倍増する事である。と理解できた。
３光子は波長によって屈折率が異なる事を理解できた。
４物質の屈折率は分子の軌道の大きさに反比例する事を理解できた。
５光子の屈折率は光子の波長に反比例する事を理解できた。
６屈折率が１である光子の波長は２Ｐ×１０−８ｍであると理解できた。
７光学ガラスの光子の軌道から光子のＰは１であると理解できた。
８分子の軌道の大きさと光子の軌道の大きさを比較する事によって、光子が分子の軌道の中に入り込めず、回り込む理由が図によりはっきり理解できた。
９屈折するとき、回り込むので、走る距離が長くなり、時間がかかる。屈折するとき、光子の速度が遅くなるのではなく、光子が進む距離が長くなるのであると理解できた。
１０光子の屈折率は回り込む回数による。比重が大きく、分子の数が多い程屈折率は大きい。
１１光子の波長が大きい程回りこむ率は大きくなり、Ｋは大きくなる。
電磁波が電界と磁界を交互にかつ垂直に伝播させるのは、ラブの公転によって電界ができ、ラブの周りを光子が回転することによって磁界ができるからである。
【図面の簡単な説明】
【図１】光子は原子の中に進めない。そこは電子のラブが公転する高エネルギーの場であるからである。
【図２】ダイヤモンドの分子の軌道は６．５７７×１０−９ｍであり、ナトリュウムＤ線の軌道は２９４．６５×１０−９ｍである。それで光子は分子軌道の中に進めない。それで、分子軌道を回り込んで進む。
【図３】水素の分子の軌道は２２３．４×１０−９ｍである。ナトリュウムＤ線の軌道は２９４．６５×１０−９ｍである。近い軌道である。それで光子は自由にほとんど屈折しなくても進むことができる。
【図４】物質の分子の軌道が小さいほどたくさん回り込む。
【図５】同じ物質で分子の軌道が同じ場合、光子の波長が大きいほどたくさん回り込む。
【図６】光子の軌道の屈折率を示す。
【図７】ラブの公転が電界を作り、ラブの周囲を光子が回転することによって磁界ができる。それで電界と磁界は交互にでき、かつ垂直にできる。
【符号の説明】
１　光子の進行　　　２　電子のラブの公転　　　３　光子の回転
４　炭素　　　５　ダイヤモンドの分子軌道　　　６　ナトリュウムＤ線の波長６　ナトリュウムＤ線の軌道　　７　水素　　　　８　水素分子の軌道
９　小さい分子の軌道　　　１０　光子の回り込みが大きい＝屈折率は大きい
１１　大きな分子の軌道
１２　光子の回り込みは小さい＝屈折率は小さい　　　１３　分子の軌道
１４　大きな波長　　　１５　小さな波長　　　１６　光子の軌道
１７　ラブの公転　　　１８　光子の回転　　　１９　電界　　　２０　磁界
【図１】
2004072996.tif 000008
【図２】
2004072996.tif 000009
【図３】
2004072996.tif 000010
【図４】
2004072996.tif 000011
【図５】
2004072996.tif 000012
【図６】
2004072996.tif 000013
【図７】
2004072996.tif 000014